(57)【要約】【課題】ワイヤを案内する部分とインナパネルに固定する部分とを一体化することによって、製造が容易で耐久性にも優れたウインドレギュレータを、簡単な構造によって提供すること。【解決手段】ガイドレール１０の上下両端に、剛性ブロック５０ａと滑動ブロック５０ｂとを嵌合して一体化した支持部材を取り付けて、剛性ブロック５０ａをインナパネルに固定することにより、ガイドレール１０の上下両端部をインナパネルに固定するとともに、この剛性ブロック５０ａに嵌合した滑動ブロック５０ｂの摺動面によってワイヤ３０を案内させるようにしたこと。【選択図】図５
2004116074.tif 000002
【特許請求の範囲】
【請求項１】
ドアのインナパネル側に取り付けた上下方向のガイドレールと、このガイドレール上を摺動するガラス支持体と、このガラス支持体に駆動装置の駆動力を伝達するワイヤとを備え、前記ガラス支持体を上下動させることにより、このガラス支持体に支持したウインドガラスの開閉を行うようにしたウインドレギュレータであって、
前記ガイドレールの上下両端に、剛性ブロックと滑動ブロックとを嵌合して一体化した支持部材を取り付けて、前記剛性ブロックを前記インナパネルに固定することにより、前記ガイドレールの上下両端部を前記インナパネルに固定するとともに、この剛性ブロックに嵌合した前記滑動ブロックの摺動面によって前記ワイヤを案内させるようにしたことを特徴とするウインドレギュレータ。
【請求項２】
前記支持部材を前記ガイドレールの端部に取り付けたときに、前記ガイドレールと剛性ブロックとの間に介在することになる突出部を前記滑動ブロックの一部に一体的に形成したことを特徴とする請求項１に記載のウインドレギュレータ。
【請求項３】
前記剛性ブロックの一部に、前記ワイヤのアウターチューブの端部を直接支持することになるチューブ支持部を設けたことを特徴とする請求項１または請求項２に記載のウインドレギュレータ。
【発明の詳細な説明】
【０００１】
【発明の属する技術分野】
本発明は、車両等が有している窓のウインドガラスを開閉するためのウインドレギュレータに関し、特にワイヤを利用してウインドガラスの開閉を行うようにしたウインドレギュレータに関するものである。
【０００２】
【従来の技術】
ワイヤを利用してウインドガラスを支持している支持体を上下動させることにより、車両等のウインドガラスを開閉するようにした、所謂「ワイヤ式」のウインドレギュレータは、リンクあるいはパンタグラフ形式のものに較べ、ドア内の空間を他にも利用できる等の長所があることから、近年頻繁に使用されるものになってきている。
【０００３】
このワイヤ式のウインドレギュレータとしては、例えば特許文献１または特許文献２に提案されているが、これら従来のウインドレギュレータでは、ウインドガラスを支持している支持体を上下方向のガイドレール上に摺動自在に支持しておき、この支持体をワイヤによってガイドレール上を上下動させるようになっている。そして、このガイドレールの上下両端部に「プーリー」を取り付けて、このプーリーによってワイヤを案内するようにしている。
【０００４】
【特許文献１】実公平５−１５０２９号（第１頁、第２頁、及び第６図）
【０００５】
【特許文献２】実公平６−３９５２号（第１頁、第２頁、第４図及び第５図）従って、従来のウインドレギュレータにおける「プーリー」は、ワイヤを案内しながら回転するものとしなければならないのであるが、そうするためには当然「枢軸」が必要になる。この枢軸には、ワイヤを駆動する駆動装置からの力がプーリーを介して加わることになるから、軸受けを設けたり、枢軸の両端の「両持ち」加工を行っておかなければ、故障が発生し易くなる。換言すれば、「プーリー」を採用している従来のウインドレギュレータは、特にそのプーリー部分において複雑な加工や対策を施さなければならないものとなっているのである。
【０００６】
また、この種のウインドレギュレータは、ドア内に完全に収納されてしまうものであるが、ドア内にはウインドガラスの出入とともに雨水が入り易いため、この雨水の浸入による「腐食」や「電触」が、当該ウインドレギュレータの各構成部分に発生し易い。
【０００７】
特に、特許文献２のウインドレギュレータでは、当該文献の第４図に示されているように、プーリーを「片持ち」しなければならず、またプーリーをドアのインナーパネルに直接支持させる構造となっているため、その枢軸及びその周辺が腐食し易くなっていると考えられる。このため、もし枢軸の方向が変化したり、インナパネルの腐食等によって枢軸が外れたりすると、このプーリーによるワイヤの案内ができなくなり、ウインドレギュレータそのものが故障してしまうということにもなりかねない。
【０００８】
そこで、本発明者等は、従来のワイヤ式ウインドレギュレータを改善するにはどうしたらよいか、について種々検討を重ねてきた結果、本発明を完成したのである。
【０００９】
【発明が解決しようとする課題】
本発明は、この種のワイヤ式ウインドレギュレータにおける上記実状に鑑みてなされたもので、その解決しようとする課題は、故障が発生しにくく、耐久性にも優れたものとすることである。
【００１０】
すなわち、まず、請求項１に係る発明の目的とするところは、ワイヤを案内する部分とインナパネルに固定する部分とを一体化することによって、製造が容易で耐久性にも優れたウインドレギュレータを、簡単な構造によって提供することにある。
【００１１】
また、請求項２に係る発明の目的とするところは、上記請求項１に係る発明と同様な目的を達成することができる他、「電触」の発生を極力防止することのできるウインドレギュレータを提供することにある。
【００１２】
そして、請求項３に係る発明の目的とするところは、上記請求項１または請求項２に係る発明と同様な目的を達成することができる他、ワイヤ側からの力がインナパネル側に直接掛かるようにして、全体の耐久性をさらに高めることのできるウインドレギュレータを提供することにある。
【００１３】
【課題を解決するための手段】
以上の課題を解決するために、まず、請求項１に係る発明の採った手段は、後述する実施の形態の説明中において使用する符号を付して説明すると、
「ドアのインナパネル２００側に取り付けた上下方向のガイドレール１０と、このガイドレール１０上を摺動するガラス支持体２０と、このガラス支持体２０に駆動装置４０の駆動力を伝達するワイヤ３０とを備え、ガラス支持体２０を上下動させることにより、このガラス支持体２０に支持したウインドガラス２１０の開閉を行うようにしたウインドレギュレータ１００であって、
ガイドレール１０の上下両端に、剛性ブロック５０ａと滑動ブロック５０ｂとを嵌合して一体化した支持部材５０を取り付けて、剛性ブロック５０ａをインナパネル２００に固定することにより、ガイドレール１０の上下両端部をインナパネル２００に固定するとともに、この剛性ブロック５０ａに嵌合した滑動ブロック５０ｂの摺動面５２によってワイヤ３０を案内させるようにしたことを特徴とするウインドレギュレータ１００」
である。
【００１４】
すなわち、この請求項１のウインドレギュレータ１００においては、特に、ガイドレール１０の上下両端に、剛性ブロック５０ａと滑動ブロック５０ｂとを嵌合して一体化した支持部材５０を取り付けたものである。この場合、上下の支持部材５０のそれぞれを構成している剛性ブロック５０ａのみを、例えば図３に示すように、その中央等に形成した取付穴５１を利用してインナパネル２００に固定するようにしたものである。これにより、ガイドレール１０の上下両端部は、インナパネル２００に固定されるのであり、各剛性ブロック５０ａに嵌合して一体化した滑動ブロック５０ｂは、その摺動面５２によってワイヤ３０を案内することになるものである。
【００１５】
換言すれば、この請求項１に係るウインドレギュレータ１００では、ガイドレール１０の上下両端部に取り付けられるべき各支持部材５０を、アルミや鋳鉄等の剛性が高い材料によって文字通りブロック状に形成した剛性ブロック５０ａに、合成樹脂等により、ある程度の剛性及び摺動特性を有するものとして形成した滑動ブロック５０ｂを、単に嵌合や組み合わせといった手段で一体化して構成したものである。
【００１６】
そして、各剛性ブロック５０ａは、例えば図９の（ハ）及び図１４の（ロ）に示すようなレール嵌合溝５６を利用して、ガイドレール１０の上下両端部に嵌合して取り付けられて、その略中心に形成した取付穴５１を介してボルト等によってインナパネル２００側に固定されるのである。勿論、この剛性ブロック５０ａは、前述したような金属材料によってダイキャスト製のものとすることがあるため、必要部分の肉をリブで一体化することにより、文字通り「ブロック化」したものである。
【００１７】
一方、各滑動ブロック５０ｂは、図３にも示すように、その摺動面５２が外方側に面するようにしながら、嵌合等の手段によって各剛性ブロック５０ａに一体化されるのであり、その外方に面した摺動面５２によってワイヤ３０のみを受けかつ摺動させるものである。この摺動面５２によるワイヤ３０の摺動が円滑になるようにするため、当該滑動ブロック５０ｂの摺動面５２は、図９の（ホ）に示すように、円弧状としてあるが、ワイヤ３０が摺接する部分は、各部材が図３に示すような位置関係にあることから、略１／４の円弧で十分である。なお、この滑動ブロック５０ｂには、図９の（ホ）にも示すように、係合部５５が一体的に形成してあるものであり、この係合部５５は、当該滑動ブロック５０ｂが剛性ブロック５０ａに対して嵌合されたとき、この剛性ブロック５０ａ側の凹み部分等に係合し、剛性ブロック５０ａに対する一体化をより確実にするものである。
【００１８】
以上のように構成したウインドレギュレータ１００では、ガイドレール１０の上下両端部に設けた支持部材５０を剛性ブロック５０ａと滑動ブロック５０ｂとを嵌合等により一体化するものとしたため、駆動装置４０によって駆動されるワイヤ３０のインナパネル２００に対する支持を剛性ブロック５０ａにより行い、支持部材５０に対するワイヤ３０の摺動は滑動ブロック５０ｂによって行うといった、言わば分業を行なっているので、各剛性ブロック５０ａ及び滑動ブロック５０ｂの耐久性が高まっているのである。つまり、各滑動ブロック５０ｂは、剛性ブロック５０ａに嵌合されるものであり、しかも従来技術における「プーリー」のような回転を必要とするものではないから、そのインナパネル２００の所定位置に対する取り付けには、枢軸や軸受けが不要となっているのである。勿論、ワイヤ３０の支持部材５０に対する摺接は、滑動ブロック５０ｂのワイヤ３０が接する必要部分にだけ摺動面５２が形成してあるため、十分行われるのである。
【００１９】
また、もし、ガイドレール１０が雨水によって腐食したり、ガイドレール１０と支持部材５０との間で電触が発生して、このガイドレール１０に対する各支持部材５０の嵌合や固定に問題が発生したとしても、各支持部材５０の剛性ブロック５０ａがその取付穴５１にてインナパネル２００に直接固定されているため、各支持部材５０によるワイヤ３０の案内に変化は全く発生せず、ワイヤ３０によってガラス支持体２０を上下動させるというウインドレギュレータ１００の基本的機能はそのまま維持されることになる。
【００２０】
従って、この請求項１に係るウインドレギュレータ１００は、ガイドレール１０の上下両端部に取り付けられるべき支持部材５０を剛性ブロック５０ａと滑動ブロック５０ｂとにより構成したから、その製造が非常に容易となっているだけでなく、回転部分が全くないから、全体の耐久性が高く、しかもガイドレール１０が腐食したり、ガイドレール１０と支持部材５０との間で電触が発生したりしても、その本来の機能を十分発揮し得るものとなっているのである。
【００２１】
さて、上記課題を解決するために、請求項２に係る発明の採った手段は、上記請求項１に記載のウインドレギュレータ１００について、
「支持部材５０をガイドレール１０の端部に取り付けたときに、ガイドレール１０と剛性ブロック５０ａとの間に介在することになる突出部５３を滑動ブロック５０ｂの一部に一体的に形成したこと」
である。
【００２２】
すなわち、この請求項２のウインドレギュレータ１００では、各支持部材５０を構成している滑動ブロック５０ｂの一部に、例えば、図９の（ニ）及び（ホ）に示すように、突出部５３を一体的に形成したものであり、この突出部５３は、例えば図１３に示すように、支持部材５０をガイドレール１０の端部に取り付けたときに、ガイドレール１０と剛性ブロック５０ａとの間に介在することになるものである。
【００２３】
この滑動ブロック５０ｂにおける突出部５３がガイドレール１０と剛性ブロック５０ａとの間に介在することになれば、ガイドレール１０や支持部材５０を構成している金属間に電触を発生させる確率を大きく減らすことになる。勿論、各支持部材５０は、これを構成している剛性ブロック５０ａによってインナパネル２００側に固定されるのであるから、突出部５３がガイドレール１０と剛性ブロック５０ａとの間に介在するようなものであっても、支持部材５０全体としてみればインナパネル２００に対する固定及びワイヤ３０の支持には何等影響はない。
【００２４】
従って、この請求項２のウインドレギュレータ１００は、上記請求項１のそれと同様な機能を発揮することは勿論、ドア内に染み込む雨水等を原因とする電触が発生することが減少し、耐久性の高いものとなっているのである。
【００２５】
さらに、上記課題を解決するために、請求項３に係る発明の採った手段は、上記請求項１または請求項２に記載のウインドレギュレータ１００について、
「剛性ブロック５０ａの一部に、ワイヤ３０のアウターチューブ３１の端部を直接支持することになるチューブ支持部５４を設けたこと」
である。
【００２６】
すなわち、この請求項３のウインドレギュレータ１００では、各支持部材５０におけるワイヤ３０の支持を、支持部材５０を構成している部材の内の剛性ブロック５０ａによって行い、滑動ブロック５０ｂは単にワイヤ３０を滑動あるいは摺接させるものとして使用するようにしているのである。換言すれば、各支持部材５０では、ワイヤ３０を通して加わる力は、主として剛性ブロック５０ａに担わせ、この剛性ブロック５０ａに嵌合させた滑動ブロック５０ｂは、ワイヤ３０の良好な滑動または摺接のみを担わせるようにして、全体の剛性を高めながらワイヤ３０の摺接を向上させているのである。
【００２７】
従って、この請求項３のウインドレギュレータ１００は、上記請求項１または請求項２のそれと同様な機能を発揮することは勿論、ワイヤ３０側からの力がインナパネル２００側に直接掛かるようにしたため、全体の耐久性がさらに向上したものとなっているのである。
【００２８】
【発明の実施の形態】
次に、以上のように構成した各発明を、図面に示した実施の形態であるウインドレギュレータ１００について説明するが、この実施形態のウインドレギュレータ１００は、上記各請求項の発明の全てを含むものである。
【００２９】
図１及び図２には、本発明に掛かるウインドレギュレータ１００をドアのインナパネル２００に取り付けて、そのガラス支持体２０によってウインドガラス２１０を支持した状態が、所領の室内側からみた正面図及び側面図として表してある。つまり、これらの図に示したウインドレギュレータ１００は、ドアのインナパネル２００側に取り付けた上下方向のガイドレール１０と、このガイドレール１０上を摺動するガラス支持体２０と、このガラス支持体２０に駆動装置４０の駆動力を伝達するワイヤ３０とを備えたものであり、ガラス支持体２０を上下動させることにより、このガラス支持体２０に支持したウインドガラス２１０の開閉を行うようにしたものである。
【００３０】
本発明に係るウインドレギュレータ１００は、上述したガイドレール１０、ガラス支持体２０、ワイヤ３０、及びこのワイヤ３０の駆動を行う駆動装置４０については、従来のそれと略同じであるが、ガイドレール１０の上下両端部にてワイヤ３０を支持するための各支持部材５０の構成が異なっているものである。つまり、各支持部材５０は、図３〜図５に示したように、ガイドレール１０の端部に嵌合されてワイヤ３０からの力を主として受ける剛性ブロック５０ａと、この剛性ブロック５０ａに嵌合等の手段により一体化される滑動ブロック５０ｂとからなっているのである。換言すれば、このウインドレギュレータ１００では、ガイドレール１０の上下両端部に取り付けられるべき各支持部材５０を、鋳鉄製やアルミダイキャスト製のものとすることにより剛性の高い文字通りブロック状に形成した剛性ブロック５０ａに、合成樹脂等により、ある程度の剛性及び摺動特性を有するものとして形成した滑動ブロック５０ｂを、単に嵌合や組み合わせといった手段で一体化して構成したものである。
【００３１】
各剛性ブロック５０ａの底面には、例えば図９の（ハ）及び図１４の（ロ）に示したようにレール嵌合溝５６が形成してあり、このレール嵌合溝５６を利用して、当該剛性ブロック５０ａはガイドレール１０の上下両端部に嵌合されるものである。また、この剛性ブロック５０ａには、その略中心に取付穴５１が形成してあり、この取付穴５１を介してボルト等によってインナパネル２００側に固定されるのである。勿論、この剛性ブロック５０ａは、前述したような金属材料によってダイキャスト製のもの、あるいは鍛造製品とされることがあり、必要部分の肉をリブで一体化した、文字通り「ブロック化」したものである。
【００３２】
また、この剛性ブロック５０ａの一部には、図６、図１０及び図１５に示したように、ワイヤ３０のアウターチューブ３１の端部を直接支持することになるチューブ支持部５４が設けてある。すなわち、本発明に係るウインドレギュレータ１００では、各支持部材５０におけるワイヤ３０の支持を、支持部材５０を構成している部材の内の剛性ブロック５０ａによって行い、滑動ブロック５０ｂは単にワイヤ３０を滑動あるいは摺接させるものとして使用するようにしているのであるが、各支持部材５０では、ワイヤ３０を通して加わる力は、主として剛性ブロック５０ａに担わせ、この剛性ブロック５０ａに嵌合させた滑動ブロック５０ｂは、ワイヤ３０の良好な滑動または摺接のみを担わせるようにして、全体の剛性を高めながらワイヤ３０の摺接を向上させたものである。
【００３３】
一方、各滑動ブロック５０ｂは、図３、図６、図８、図９の（ロ）及び（ニ）、そして図１０〜図１４に示したように、その摺動面５２が外方側に面するようにしながら、嵌合等の手段によって各剛性ブロック５０ａに一体化されるものであり、その外方に面した摺動面５２によってワイヤ３０のみを受けかつ摺動させるようにしたものである。この摺動面５２によるワイヤ３０の摺動が円滑になるようにするため、当該滑動ブロック５０ｂの摺動面５２は、図９の（ホ）に示したように、略１／４程度の円弧状のものとしてある。
【００３４】
また、この滑動ブロック５０ｂには、図９の（ホ）に示したように、係合部５５が一体的に形成してあり、この係合部５５は、当該滑動ブロック５０ｂが剛性ブロック５０ａに対して嵌合されたとき、図９の（ニ）に示したように、この剛性ブロック５０ａ側の凹み部分等に係合し、剛性ブロック５０ａに対する一体化がより確実になされるようにしてある。
【００３５】
【発明の効果】
以上、詳述した通り、まず、請求項１に係る発明においては、上記実施形態にて例示した如く、
「ドアのインナパネル２００側に取り付けた上下方向のガイドレール１０と、このガイドレール１０上を摺動するガラス支持体２０と、このガラス支持体２０に駆動装置４０の駆動力を伝達するワイヤ３０とを備え、ガラス支持体２０を上下動させることにより、このガラス支持体２０に支持したウインドガラス２１０の開閉を行うようにしたウインドレギュレータ１００であって、
ガイドレール１０の上下両端に、剛性ブロック５０ａと滑動ブロック５０ｂとを嵌合して一体化した支持部材５０を取り付けて、剛性ブロック５０ａをインナパネル２００に固定することにより、ガイドレール１０の上下両端部をインナパネル２００に固定するとともに、この剛性ブロック５０ａに嵌合した滑動ブロック５０ｂの摺動面５２によってワイヤ３０を案内させるようにしたこと」
にその構成上の特徴があり、これにより、ワイヤ３０を案内する部分、つまり滑動ブロック５０ｂと、インナパネル２００に固定する部分、つまり剛性ブロック５０ａとを一体化することによって、製造が容易で耐久性にも優れたウインドレギュレータ１００を、簡単な構造によって提供することができるのである。
【００３６】
また、請求項２に係るウインドレギュレータ１００によれば、上記請求項１に記載のウインドレギュレータ１００について、
「支持部材５０をガイドレール１０の端部に取り付けたときに、ガイドレール１０と剛性ブロック５０ａとの間に介在することになる突出部５３を滑動ブロック５０ｂの一部に一体的に形成したこと」
にその構成上の特徴があり、これにより、上記請求項１に係る発明と同様な効果を発揮することができる他、「電触」の発生を極力防止することができるのである。
【００３７】
さらに、請求項３に係るウインドレギュレータ１００によれば、上記請求項１に記載のウインドレギュレータ１００について、
「剛性ブロック５０ａの一部に、ワイヤ３０のアウターチューブ３１の端部を直接支持することになるチューブ支持部５４を設けたこと」
にその構成上の特徴があり、これにより、上記請求項１または請求項２に係る発明と同様な効果を発揮することができる他、ワイヤ３０側からの力がインナパネル２００側に直接掛かるようにして、全体の耐久性をさらに高めることができるのである。
【図面の簡単な説明】
【図１】本発明に係るウインドレギュレータをドア内に取り付けた状態を示す室内側からみた正面図である。
【図２】同側面図である。
【図３】同ウインドレギュレータのみを取り出して示した拡大正面図である。
【図４】同側面図である。
【図５】同ウインドレギュレータの分解斜視図である。
【図６】同ウインドレギュレータにおける上側の支持部材を中心にしてみた部分拡大正面図である。
【図７】同部分側面図である。
【図８】図６中の１−１線に沿ってみた部分断面図である。
【図９】本発明に係るウインドレギュレータにおいて採用している支持部材を示すもので、（イ）はその拡大正面図、（ロ）は（イ）中の２−２線に沿ってみた部分断面図、（ハ）は支持部材の底面図、（ニ）は（ハ）中の３−３線に沿ってみた部分断面図、（ホ）は滑動ブロックの拡大正面図である。
【図１０】同ウインドレギュレータにおける下側の支持部材を中心にしてみた部分拡大正面図である。
【図１１】同部分側面図である。
【図１２】図１０中の４−４線に沿ってみた部分断面図である。
【図１３】図１０中の５−５線に沿ってみた部分断面図である。
【図１４】同ウインドレギュレータにおける下側の支持部材を構成している剛性ブロックを拡大して示すもので、（イ）は縦断面図、（ロ）は底面図、（ハ）は（ロ）中の６−６線に沿ってみた断面図である。
【図１５】同ウインドレギュレータにおける下側の支持部材を構成している他の剛性ブロックを拡大して示すもので、（イ）は底面図、（ロ）は縦断面図、（ハ）は平面図である。
【符号の説明】
１００　　ウインドレギュレータ
１０　　ガイドレール
２０　　ガラス支持体
３０　　ワイヤ
３１　　アウターチューブ
４０　　駆動装置
５０　　支持部材
５０ａ　剛性ブロック
５０ｂ　滑動ブロック
５１　　取付穴
５２　　摺動面
５３　　突出部
５４　　チューブ支持部
５５　　係合部
５６　　レール嵌合溝
２００　　インナパネル
２１０　　ウインドガラス
【図１】
2004116074.tif 000003
【図２】
2004116074.tif 000004
【図３】
2004116074.tif 000005
【図４】
2004116074.tif 000006
【図５】
2004116074.tif 000007
【図６】
2004116074.tif 000008
【図７】
2004116074.tif 000009
【図８】
2004116074.tif 000010
【図９】
2004116074.tif 000011
【図１０】
2004116074.tif 000012
【図１１】
2004116074.tif 000013
【図１２】
2004116074.tif 000014
【図１３】
2004116074.tif 000015
【図１４】
2004116074.tif 000016
【図１５】
2004116074.tif 000017